(57)【要約】【課題】  国境を越えて移動した時や、日付変更線をまたいだ時でも、記録ファイルの作成日時順と実際の記録順を一致させ、又、記録ファイルの作成日時とは別に、実際に作成された現地時間を知ることを可能にする。【解決手段】  記録媒体本拠地指定手段と記録装置滞在地時間生成手段と、記録媒体本拠地時間生成手段と、時差情報作成手段から構成され、記録装置滞在地時間生成手段で生成された滞在地時間（現地時間）と記録媒体本拠地指定手段で指定された記録媒体の本拠地または基準地情報から、記録媒体本拠地時間生成手段が記録媒体本拠地または基準地時間を生成し、前記生成した記録媒体本拠地または基準地時間を記録ファイルのファイル作成日時とし、記録媒体本拠地または基準地情報と記録装置滞在地情報の差分情報をヘッダ情報として記録ファイルに付加して記録媒体に記録するため、時差があろうとも、日付変更線を跨ごうとも、記録媒体の本拠地または基準地時間順であるファイル記録作成日時順は記録順と一致する。再生時には、撮影順を正しく並べつつ、時差のために逆転した現地撮影時間での表示ができる。【選択図】        図１
2005268883.tif 000002
【特許請求の範囲】
【請求項１】
ファイル作成日時の基準となる記録媒体の本拠地あるいは基準地情報を記録媒体に設定及び記録媒体から判読可能な手段を備えたことを特徴とする記録再生装置。
【請求項２】
ファイル作成日時の基準となる記録機器の本拠地情報と、本拠地時間又は特定の基準地時間と、滞在地情報を設定可能な手段を備えたことを特徴とする記録再生装置。
【請求項３】
請求項２に記載の記録再生装置において、記録再生装置に設定した本拠地情報と本拠地時間又は特定の基準地時間と滞在地情報から滞在地時間を生成する記録再生装置滞在地時間生成手段を備え、記録再生装置の本拠地情報と本拠地時間又は特定の基準時間と滞在地情報とから記録媒体の基準地時間を生成する記録媒体基準地時間生成手段を備え、前記記録媒体基準地時間生成手段が生成した時間を記録ファイルのファイル作成日時情報とし、ファイル作成日時情報と記録再生装置滞在地情報の差分情報を付加情報として一体化した記録ファイルにして記録媒体に記録するファイル作成記録手段を備えたことを特徴とする記録再生装置。
【請求項４】
請求項１又は請求項２に記載の記録再生機器において、記録再生機器に設定した本拠地情報と本拠地時間又は特定の基準地時間と滞在地情報から滞在地時間を生成する記録再生装置滞在地時間生成手段を備え、記録再生装置の本拠地情報と本拠地時間又は特定の基準時間と滞在地情報と記録媒体の本拠地情報から記録媒体の基準地時間を生成する記録媒体基準地時間生成手段を備え、前記記録媒体基準地時間生成手段が生成した時間を記録ファイルのファイル作成日時情報とし、ファイル作成日時情報と記録再生装置滞在地情報の差分情報を付加情報として一体化した記録ファイルにして記録媒体に記録するファイル作成記録手段を備えたことを特徴とする記録再生装置。
【請求項５】
請求項３又は請求項４に記載の記録再生装置で、ファイル作成日時情報と記録再生装置滞在地情報の差分情報とは、時差、またはタイムゾーン、または位置情報、または代表都市名であるところのファイル生成記録手段を備えたことを特徴とする記録再生装置。
【請求項６】
請求項３又は請求項４に記載の記録再生装置で、本拠地情報を変更した場合、記録媒体内の記録ファイルのファイル作成日時を、新しい本拠地情報に基づいたファイル作成日時に変更可能なファイル生成記録手段を備えたことを特徴とする記録再生装置。
【請求項７】
請求項１に記載の記録再生装置で、記録媒体の本拠地情報が未設定な記録媒体を接続すると、記録再生機器の本拠地情報を、記録媒体の本拠地情報に自動設定することを特徴とする記録再生装置。
【請求項８】
複数の請求項１に記載の記録再生装置で、記録ファイルを複写する時に、複写元の記録媒体の本拠地情報に基づいた記録された記録ファイルのファイル作成日時を、複写先の記録媒体の本拠地情報に基づいたファイル作成日時に変換して複写するファイル複写手段を備えたことを特徴とする記録再生装置。
【請求項９】
請求項３又は請求項４に記載の記録再生装置で生成された記録ファイルを一覧表示する場合、前記記録媒体基準地時間生成手段が生成した時間を記録ファイルのファイル作成日時を表示するモードと、ファイル作成日時情報とヘッダ情報に付加された記録機器滞在地情報の差分情報より復元した記録ファイルが記録された滞在地での滞在地時間日時を表示するモードを選択可能な表示手段を備えたことを特徴とする記録再生装置。
【請求項１０】
請求項１に記載の記録再生装置で、記録媒体に記録されている特定名のファイル内に書かれた情報を記録媒体の本拠地情報とすることを特徴とする記録再生装置。
【請求項１１】
請求項１に記載の記録再生装置で、記録媒体の所定アドレスに記録された情報を記録媒体の本拠地情報とすることを特徴とする記録再生装置。
【請求項１２】
請求項２に記載の記録装置で、滞在地情報の設定を、記録機器の本拠地情報に復元設定するスイッチ手段を備えたことを特徴とする記録再生装置。
【発明の詳細な説明】
【技術分野】
【０００１】
本発明は記録再生装置に関し、即ち、書き換え可能なランダムアクセスメディアとその記録装置に関するものである。
【背景技術】
【０００２】
時差がある場合、カメラ内蔵世界時計のタイムゾーン設定を切り替えて現地時間にし、その現地時間を用いて記録ファイルの作成日時としていた。また、ランダムアクセスメディアは、書き込み消去を繰り返し可能で、繰り返しているうちに物理的な書き込み場所順と撮影順が一致しなくなる。そこで記録ファイルを撮影順に一覧表示する場合等には、記録ファイルの作成日時順で撮影順を判別している。
【特許文献１】特開平１０−２８５５０１号公報
【特許文献２】特開２００１−８１４３号公報
【発明の開示】
【発明が解決しようとする課題】
【０００３】
しかしながら、記録ファイルの作成日時順と実際の撮影順が逆転することがある。コンピュータ互換のファイルシステムのファイル作成日時情報に時差設定がないため、現地時間を記録ファイルの作成日時に用いた場合、国境を越えて移動した時や、日付変更線を跨いだ時に、記録ファイルの作成日時順と実際の撮影順が逆転して、どの記録ファイルを先に記録したのか分からなくなってしまう。また、現地時間に変えず、例えばグリニッチ標準時固定にして記録ファイルの作成日時に用いた場合、コンピュータ互換のファイルシステムのファイル作成日時情報に時差設定がないため、実際に撮影された現地時間を知ることが出来なくなる。
【０００４】
本発明に係る記録再生装置の第１の発明の目的は、国境を越えて移動した時や、日付変更線をまたいだ時でも、記録ファイルの作成日時順と実際の記録順を一致させることを可能にすることである。
【０００５】
また、本発明に係る記録再生装置の第２の発明の目的は、記録ファイルの作成日時とは別に実際に作成された現地時間を知ることを可能にすることである。
【課題を解決するための手段】
【０００６】
上記第１の目的を達成するため、本発明に係る第１の発明は、記録媒体本拠地指定手段と記録機器滞在地時間生成手段と、記録媒体本拠地時間生成手段と、時差情報作成手段から構成されることを特徴とする。
【０００７】
上記第１の構成において、記録機器滞在地時間生成手段で生成された滞在地時間と記録媒体本拠地指定手段で指定された記録媒体の基準地情報から、記録媒体基準地時間生成手段が記録媒体基準地時間を生成し、前記生成した記録媒体基準地時間を記録ファイルのファイル作成日時とし、ファイル作成日時と記録機器滞在地情報の差分情報をヘッダ情報として記録ファイルに付加して記録媒体に記録するため、どこの国へ行こうとも、日付変更線を跨ごうとも、記録媒体の本拠地時間順であるファイル記録作成日時順が撮影順と一致する。
【０００８】
上記第２の目的を達成するため、本発明に係る第２の発明は、記録媒体本拠地指定手段とファイル記録滞在地時間生成手段と、ファイル作成日時読み取り手段と、時差情報読み取り手段から構成されることを特徴とする。
【０００９】
上記第２の構成において、ファイル作成日時読み取り手段がファイルの生成日時を読み取り、ファイル記録滞在地時間生成手段が、記録媒体本拠地指定手段で指定された記録媒体本拠地情報と、時差情報読み取り手段がヘッダ情報から読み取る時差情報から実際に記録したときの現地時間に変換するため、記録ファイルの作成日時とは別に実際に作成された現地時間を復元することができる。
【発明の効果】
【００１０】
本発明に係る第１の発明によれば、記録媒体本拠地指定手段と記録機器滞在地時間生成手段と、記録媒体本拠地時間生成手段と、時差情報作成手段から構成され、記録機器滞在地時間生成手段で生成された滞在地時間と記録媒体本拠地指定手段で指定された記録媒体の本拠地（基準地）情報から、記録媒体本拠地（基準地）時間生成手段が記録媒体本拠地（基準地）時間を生成し、前記生成した記録媒体本拠地（基準地）時間を記録ファイルのファイル作成日時とし、記録媒体本拠地（基準地）情報と記録機器滞在地情報の差分情報をヘッダ情報として記録ファイルに付加して記録媒体に記録するため、どこの国へ行こうとも、日付変更線を跨ごうとも、記録媒体の本拠地時間で整列可能で、撮影順とも一致するという効果がある。
【００１１】
本発明に係る第２の発明によれば、記録媒体本拠地指定手段とファイル記録滞在地時間生成手段と、ファイル作成日時読み取り手段と、時差情報読み取り手段から構成され、ファイル作成日時読み取り手段がファイルの生成日時を読み取り、ファイル記録滞在地時間生成手段が、記録媒体本拠地指定手段で指定された記録媒体本拠地（基準地）情報と、時差情報読み取り手段がヘッダ情報から読み取る時差情報から実際に記録したときの現地時間に変換するため、記録ファイルの作成日時とは別に実際に作成された現地時間を知ることが出きるという効果がある。
【発明を実施するための最良の形態】
【００１２】
以下に、本発明を実施するための最良の形態を、実施例に基づいて説明する。
【実施例１】
【００１３】
図１は本発明を実施した実施例の記録装置のブロック図である。１００は撮像回路、１０１は撮像回路１００で撮影した画像を処理する画像処理回路、１０２は画像処理回路１０１で画像処理された画像を所定形式の画像データに変換する画像データ変換手段、１０３はカメラ時計手段、１０４はカメラタイムゾーン設定手段、１０５はカメラ本拠地設定手段、１０６はカメラ時計手段１０３とカメラタイムゾーン設定手段１０４とカメラ本拠地設定手段１０５の設定から現地時間を生成するカメラ滞在地時間生成手段、１０７はカード本拠地書き込み手段、１０８はカード本拠地読み取り手段、１０９はカメラ滞在地時間とカメラタイムゾーン設定手段１０４の設定とカード本拠地読み取り手段１０８の読み取り値からカード本拠地換算時間を生成するカード本拠地時間生成手段、１１０は時差情報を生成する時差情報生成手段、１１２はメモリカード、１１１はヘッダ情報と画像データを合体し記録ファイルとしてメモリカード１１２に記録するヘッダ合成記録ファイル書き込み手段である。１１３は強制的にカメラタイムゾーン設定手段１０４の設定をカメラ本拠地設定手段１０５の設定に戻すリセット手段である。
【００１４】
まず、カード本拠地書き込み手段１０７からメモリカード１１２にカード本拠地を設定する。本拠地情報はメモリカード１１２の特定アドレスに本拠地情報を書く部分を設けても良い。またはメモリカード１１２内に特定ファイル名のファイルを作り、その中に記述しても良い。メモリカード１１２にカード本拠地を設定した後は、メモリカード１１２は本実施例を実施した別のカメラに差し替えても構わない。
【００１５】
図２は撮影時のフローチャートである。図３は画像データと時差情報ヘッダが合成されたファイルシステムのイメージ図である。図４は時間生成の説明に用いる図である。図１、図２、図３、図４を用いて、撮影時の動作について説明する。Ｓ２０１でシャッタ（不図示）を切ると撮像回路１００から光―電気変換された画像信号が取り込まれ、Ｓ２０２へ処理を移す。Ｓ２０２で画像信号は画像処理回路１０１で必要な画像処理が行われ、Ｓ２０３へ処理を移す。Ｓ２０３で画像処理が済み画像は画像データ変換手段１０２にて、静止画ならＪＰＥＧ、動画ならＭＰＥＧ画像データに変換される。Ｓ２０４でカメラ時計手段１０３の時刻を読み込む。次にＳ２０５でカメラ本拠地設定手段１０５を読み込む。Ｓ２０６でカメラタイムゾーン設定手段１０４を読み込む。Ｓ２０７からＳ２０９まではカメラ滞在地時間生成手段１０６の動作で、Ｓ２０７でカメラタイムゾーンがカメラ本拠地と同じであるか判断する。違う場合はＳ２０８へ、同じ場合はＳ２０９へ処理を移す。Ｓ２０８でカメラ本拠地とカメラタイムゾーンとの違いだけ補正してカメラ滞在地時間を生成する。図４（Ａ）のようにＧＭＴ＋１の国が本拠地のカメラでカメラ時計手段１０３が１時の場合、カメラタイムゾーンがＧＭＴの国に滞在している時はカメラ滞在地時間０時が生成される。また図４（Ｂ）のようにＧＭＴ＋１の国が本拠地のカメラでカメラ時計手段１０３が１時の場合、カメラタイムゾーンがＧＭＴ＋９の国、例えば日本に滞在している時はカメラ滞在地時間９時が生成される。Ｓ２０９では、カメラ時計手段１０３の時刻をそのまま、カメラ滞在地時間に使うとする。次にＳ２１０でカード本拠地読み取り手段１０８を読み込む。
【００１６】
Ｓ２１１からＳ２１３まではカード本拠地時間生成手段１０９の動作で、Ｓ２１１でカメラタイムゾーンがカード本拠地と同じであるか判断する。違う場合はＳ２１２へ、同じ場合はＳ２１３へ処理を移す。Ｓ２１２でカード本拠地とカメラタイムゾーンとの違いだけ補正してカメラ滞在地時間からカード本拠地時間を生成する。図４（Ａ）のようにカメラタイムゾーンがＧＭＴの国でカメラ滞在地時間０時の場合、カード本拠地がＧＭＴ＋９のカードを使用している時はカード本拠地時間９時が生成される。Ｓ２１３では、カメラ滞在地時間生成手段１０６の時刻をそのまま、カード本拠地時間生成手段１０９の時間に使うとする。図４（Ｂ）のようにカメラタイムゾーンがＧＭＴ＋９の国、例えば日本でカメラ滞在地時間９時の場合、カード本拠地がＧＭＴ＋９（日本）のカードを使用している時は、そのまま同じカード本拠地時間９時が生成される。Ｓ２１４で時差情報生成手段１１０にて、後にファイル作成日時からカメラ滞在地時間を復元できる情報をヘッダ情報に格納する。例えば、図３（Ａ）のように時差、図３（Ｂ）のようにＧＭＴに対するタイムゾーン、図３（Ｃ）のように緯度経度、図３（Ｄ）のように主要都市名を格納する。Ｓ２１５でヘッダ合成記録ファイル書き込み手段１１１にてヘッダヘッダ情報と画像データを合成した、図３（Ａ）〜（Ｄ）のような画像ファイルシステムを生成し、カード本拠地時間生成手段１０９から画像ファイルシステムのファイル作成日時を生成し、Ｓ２１６でヘッダ合成記録ファイル書き込み手段１１１にて画像ファイルシステムをメモリカード１１２に記録する。カード本拠地の未設定の時は、カメラ本拠地に合わせることも出来る。
【００１７】
以上説明したように、時差があっても、旅行先で借りた海外仕様カメラでの撮影でも、複数カメラでメモリカード使い回しの撮影でも、実際の撮影順と矛盾が起きないファイル作成順管理が出きるという効果がある。
【実施例２】
【００１８】
図５は本発明を実施した実施例の再生装置のブロック図である。５０１はカード本拠地読み取り手段、５０２はメモリカード、５０３はメモリカード５０２から読み出した記録ファイルをヘッダ情報と画像ファイルに分離するヘッダ合成記録ファイル読み込み手段、５０４はヘッダ合成記録ファイル読み込み手段５０３で分離された画像ファイルを所定形式に応じて画像信号に変換する画像ファイル変換手段、５０５はヘッダ合成記録ファイル読み込み手段５０３で分離されたヘッダ情報から時差情報を読み取る時差情報読み取り手段、５０６はカード本拠地読み取り手段５０１の読み取り値とヘッダ合成記録ファイル読み込み手段５０３で読み込んだ記録ファイルから記録ファイル作成日時を読み取る記録ファイル作成日時読み取り手段、５０７は記録ファイル作成日時読み取り手段５０６と時差情報読み取り手段５０５からカメラ撮影現地時間を生成するカメラ撮影現地時間生成手段、５０８は画像ファイル変換手段５０４で変換された画像信号を処理するビデオ処理回路、５０９は表示手段、５１０は表示モード選択手段である。
【００１９】
図６は再生時のフローチャートである。図７は時間生成の説明に用いる図である。図８は表示の説明に用いる図である。図５、図６、図７、図８を用いて、再生時の動作について説明する。Ｓ６０１でヘッダ合成記録ファイル読み込み手段５０３にて画像ファイルシステムをメモリカード５０２から読み取る。Ｓ６０２でヘッダ合成記録ファイル読み込み手段５０３にてヘッダ情報と画像ファイルに分離する。Ｓ６０３で画像ファイル変換手段５０４にて、ＪＰＥＧなら静止画、ＭＰＥＧなら動画画像信号に変換される。Ｓ６０４で記録ファイル作成日時読み取り手段５０６にて画像ファイルシステムのファイル作成日時を読み込む。Ｓ６０５で時差情報読み取り手段５０５にて、カメラ撮影現地時間を復元できる時差情報をヘッダ情報から読み込む。次にＳ６０６でカード本拠地読み取り手段５０１を読み込む。Ｓ６０７からＳ６０９まではカメラ撮影現地時間生成手段５０７の動作で、Ｓ６０７で時差情報がカード本拠地と同じであるか判断する。違う場合はＳ６０８へ、同じ場合はＳ６０９へ処理を移す。Ｓ６０８でカード本拠地と記録ファイル作成日時と時差情報からカメラ撮影現地時間生成手段５０７にて生成する。図７（Ａ）のようにＧＭＴ＋９の国が本拠地のメモリカードでファイル作成日時が９時の場合、時差情報−９時間の国に滞在している時はカメラ撮影現地時間０時が生成される。また図７（Ｂ）のようにＧＭＴ＋９の国が本拠地のメモリカードでファイル作成日時が９時の場合、時差情報ＧＭＴの国に滞在している時はカメラ撮影現地時間０時が生成される。図７（Ｃ）のように東経１３５度の国が本拠地のメモリカードでファイル作成日時が９時の場合、時差情報東経０度の国に滞在している時は緯度経度情報からタイムゾーン差を求めてカメラ撮影現地時間０時が生成される。図７（Ｄ）のようにＴＯＫＹＯが本拠地のメモリカードでファイル作成日時が９時の場合、時差情報ロンドンに滞在している時はカメラ撮影現地時間０時が生成される。Ｓ６０９では、ファイル作成日時をそのまま、カメラ撮影現地時間に使うとする。Ｓ６１０で画像信号はビデオ処理回路５０８で必要な画像処理が行われ、Ｓ６１１へ処理を移す。Ｓ６１１で表示手段に、画像や撮影時情報などを表示する。表示モードは表示モード選択手段５１０で選択される。図８（Ａ）のように記録ファイル作成日時順表示選択した場合は撮影順にファイルが表示される。図８（Ｂ）のように記録ファイル作成日時順に表示しつつ、記録ファイル作成日時を表示する代わりに、撮影した現地日時を表示選択すると、撮影順と時間が逆転しているが、撮影順に正しく表示できる。
【００２０】
以上説明したように、時差があっても、旅行先で借りたカメラでの撮影でも、複数カメラでメモリカード使い回しの撮影でも、記録ファイル作成日時が実際に撮影した順番になり、時差情報から撮影した現地日時を知ることが出きるという効果がある。
【実施例３】
【００２１】
図９は本発明を実施した実施例の複写装置のブロック図である。９０１はカード本拠地読み取り手段、９０２は複写元メモリカード、９０３はメモリカード９０２から読み出した記録ファイルをヘッダ情報と画像ファイルに分離するヘッダ合成記録ファイル読み込み手段、９０４はヘッダ合成記録ファイル読み込み手段９０３で分離されたヘッダ情報から時差情報を読み取る時差情報読み取り手段、９０５はカード本拠地読み取り手段９０１の読み取り値とヘッダ合成記録ファイル読み込み手段９０３で読み込んだ記録ファイルから記録ファイル作成日時を読み取る記録ファイル作成日時読み取り手段、９０６はカード本拠地読み取り手段、９０７は複写先メモリカード、９０８はカード本拠地読み取り手段９０１から読み込んだ複写元カードの本拠地と記録ファイル作成日時読み取り手段９０５とカード本拠地読み取り手段９０６から読み込んだ複写先カードの本拠地に合わせて記録ファイル作成日時を補正する記録ファイル作成日時補正手段、９０９はカード本拠地読み取り手段９０１から読み込んだ複写元カードの本拠地と記録ファイル作成日時読み取り手段９０５とカード本拠地読み取り手段９０６から読み込んだ複写先カードの本拠地に合わせて時差情報読み取り手段９０３の時差情報を新たに時差情報を生成する時差情報生成手段、９１０はヘッダ情報と画像データを合体し記録ファイルとして複写先メモリカード９０７に記録するヘッダ合成記録ファイル書き込み手段である。図１０は複写時のフローチャートである。図１１は時間生成の説明に用いる図である。図９、図１０、図１１を用いて、複写時の動作について説明する。Ｓ１００１でヘッダ合成記録ファイル読み込み手段９０３にて画像ファイルシステムを複写元カードメモリ９０２から読み取る。Ｓ１００２でヘッダ合成記録ファイル読み込み手段９０３にてヘッダ情報と画像ファイルに分離する。Ｓ１００４で記録ファイル作成日時読み取り手段９０５にて画像ファイルシステムのファイル作成日時を読み込む。Ｓ１００５で時差情報読み取り手段９０４にて、時差情報をヘッダ情報から読み込む。次にＳ１００６で複写元カード本拠地読み取り手段９０１を読み込む。次にＳ１００７で複写先カード本拠地読み取り手段９０６を読み込む。Ｓ１００８からＳ１０１０までは記録ファイル作成日時補正手段９０８の動作で、Ｓ１００８で複写元カード本拠地が複写先カード本拠地と同じであるか判断する。違う場合はＳ１００９へ、同じ場合はＳ１０１０へ処理を移す。Ｓ１００９で複写元カード本拠地と記録ファイル作成日時と時差情報と複写先カード本拠地から記録ファイル作成日時補正手段９０８にて補正する。図１１（Ａ）のようにＧＭＴ＋９の国が本拠地のメモリカードでファイル作成日時が９時の場合、時差情報−９時間で記録したファイルは、ＧＭＴ＋８の国が本拠地のメモリカードに複写する場合、ファイル作成日時８時に補正される。また図１１（Ｂ）のようにＧＭＴ＋９の国が本拠地のメモリカードでファイル作成日時が９時の場合、時差情報ＧＭＴの国で記録したファイルは、ＧＭＴ＋８の国が本拠地のメモリカードに複写する場合、ファイル作成日時８時に補正される。図１１（Ｃ）のように東経１３５度の国が本拠地のメモリカードでファイル作成日時が９時の場合、時差情報東経０度の国に滞在して記録したファイルは、東経１１４度北緯２２度の国が本拠地のメモリカードに複写する場合、ファイル作成日時８時に補正される。図１１（Ｄ）のようにＴＯＫＹＯが本拠地のメモリカードでファイル作成日時が９時の場合、時差情報ロンドンに滞在している時に記録したファイルは、香港が本拠地のメモリカードに複写する場合、ファイル作成日時８時に補正される。Ｓ１０１０では、複写元ファイル作成日時をそのまま、複写先ファイル作成日時に使うとする。Ｓ１０１１で時差情報生成手段９０９にて、後にファイル作成日時からカメラ滞在地時間を復元できる情報をヘッダ情報に格納する。Ｓ１０１２でヘッダ合成記録ファイルシステム書き込み手段９１０にてヘッダヘッダ情報と画像データを合成した画像ファイルシステムを生成し、Ｓ１０１３でヘッダ合成記録ファイルシステム書き込み手段９１０にて画像ファイルシステムをカードメモリに複写する。
【００２２】
これを応用して、カードメモリの本拠地を変更した場合は、変更した本拠地にあわせてそのカードメモリ内のファイル作成日時を補正できる。
【００２３】
以上説明したように、記録媒体から別の記録媒体に記録ファイルを複写する時に、記録媒体の本拠地（基準地）情報に設定する記録媒体本拠地（基準地）情報で記録された記録ファイルのファイル作成日時を、複写先の記録媒体の本拠地（基準地）情報に基づいたファイル作成日時に変換して複写するので、複写先の記録媒体内でも実際のファイル作成順と矛盾が起きないファイル作成順管理ができるという効果がある。
【図面の簡単な説明】
【００２４】
【図１】本発明を実施した実施例のカメラのブロック図
【図２】撮影時のフローチャート
【図３】画像データと時差情報ヘッダが合成されたファイルシステムのイメージ図
【図４】時間生成の説明に用いる図
【図５】本発明を実施した実施例のビデオカメラのブロック図
【図６】再生時のフローチャート
【図７】時間生成の説明に用いる図
【図８】表示の説明に用いる図
【図９】本発明を実施した実施例のファイル複写装置のブロック図
【図１０】複写時のフローチャート
【図１１】時間生成の説明に用いる図
【符号の説明】
【００２５】
１００  撮像回路
１０１  画像処理回路
１０２  画像データ変換手段
１０３  カメラ時計手段
１０４  カメラタイムゾーン設定手段
１０５  カメラ本拠地設定手段
１０６  カメラ滞在地時間生成手段
１０７  カード本拠地書き込み手段
１０８  カード本拠地読み取り手段
１０９  カード本拠地時間生成手段
１１０  時差情報生成手段
１１２  メモリカード
１１１  ヘッダ合成記録ファイル書き込み手段
１１３  カメラタイムゾーンリセット手段
【図１】
2005268883.tif 000003
【図２】
2005268883.tif 000004
【図３】
2005268883.tif 000005
【図４】
2005268883.tif 000006
【図５】
2005268883.tif 000007
【図６】
2005268883.tif 000008
【図７】
2005268883.tif 000009
【図８】
2005268883.tif 000010
【図９】
2005268883.tif 000011
【図１０】
2005268883.tif 000012
【図１１】
2005268883.tif 000013